(57)【特許請求の範囲】
【請求項１】
間接活線用のヤットコ（５０）を操作して絶縁テープ（２）を被覆対象物（１）に巻き付けるテープ巻付作業に用いるためのテープ巻付器（１０）であって、
前記絶縁テープを回転可能に取り付けるためのテープ取付部材（２０）と、
前記被覆対象物に引っ掛けて前記テープ巻付器を該被覆対象物に取り付けるためのフック（３２）が本体（３１）の上端部に固定されたテープ巻付器取付部材（３０）とを具備し、
スライド孔（３１ａ）が、前記テープ巻付器取付部材の前記本体の下端部に形成されており、
前記テープ取付部材が、前記テープ巻付器取付部材の前記スライド孔に沿って上下にスライド可能に該テープ巻付器取付部材に取り付けられている、
ことを特徴とする、テープ巻付器。
【請求項２】
前記テープ取付部材が、
径が前記絶縁テープの内径よりも小さくされた、かつ、長さが該絶縁テープの横幅よりも大きくされた円柱状のテープ取付部（２１）と、
径が前記テープ取付部の径よりも大きくされた、かつ、一端面の中央部に前記テープ取付部の一端面が固定された円板状の顎部（２２）とを備える、
ことを特徴とする、請求項１記載のテープ巻付器。
【請求項３】
前記テープ取付部材が、一端面が前記顎部の他端面の中央部に固定された、かつ、前記ヤットコの可動アーム（５１）および固定アーム（５２）で把持できる大きさにされた円柱状の把持部（２３）をさらに備えることを特徴とする、請求項２記載のテープ巻付器。
【請求項４】
前記テープ巻付器取付部材が、
矩形板状の前記本体と、
半円環板状の前記フックと、
前記テープ取付部材の前記顎部と同じ形状および大きさとされた円板状の他の顎部（３３）と、
一端面が前記他の顎部の一端面の中央部に固定されるとともに前記スライド孔を貫通する軸部および一端面が該軸部の他端面の中央部に固定された抑え部を備えたスライド軸（３４）と、
一端面が前記他の顎部の他端面の中央部に固定された円柱状のテープ取付部材取付部（３５）とを備え、
前記本体の下端部の中央部に、開口面が矩形状とされた前記スライド孔が形成されている、
ことを特徴とする、請求項２または３記載のテープ巻付器。
【請求項５】
前記テープ取付部の他端面の中央部に、ネジ穴（２１ａ）が形成されており、
前記テープ取付部材取付部の外周面に、前記ネジ穴と螺合するネジ山が形成されている、
ことを特徴とする、請求項４記載のテープ巻付器。
【請求項６】
請求項１乃至５いずれかに記載のテープ巻付器（１０）を用いて前記ヤットコ（５０）を操作して前記絶縁テープ（２）を前記被覆対象物（１）に巻き付けるためのテープ巻付方法であって、
前記テープ取付部材（２０）に前記絶縁テープを取り付ける第１のステップと、
前記テープ巻付器取付部材（３０）に前記テープ取付部材を取り付ける第２のステップと、
前記ヤットコを操作して前記テープ巻付器取付部材の前記フック（３２）を前記被覆対象物に引っ掛けて前記テープ巻付器を該被覆対象物に取り付ける第３のステップと、
前記絶縁テープの先端部を前記被覆対象物に貼り付ける第４のステップと、
前記ヤットコを操作して前記被覆対象物を中心に前記テープ巻付器を一回転させて前記絶縁テープを該被覆対象物に巻き付ける第５のステップと、
前記ヤットコを用いて前記テープ取付部材を前記テープ巻付器取付部材の前記スライド孔（３１ａ）に沿って引き下げて前記絶縁テープを引き出す第６のステップと、
前記第５および第６のステップを必要回数だけ繰り返す第７のステップと、
を具備することを特徴とする、テープ巻付方法。
【請求項７】
前記テープ巻付器が、請求項４記載のテープ巻付器であって、
前記第６のステップにおいて、前記テープ巻付器取付部材の前記スライド軸（３４）を前記テープ巻付器取付部材の前記スライド孔（３１ａ）の底面に当接するまで前記ヤットコを引き下げて前記絶縁テープを引き出す、
ことを特徴とする、請求項６記載のテープ巻付方法。
【請求項８】
前記テープ巻付器が、請求項５記載のテープ巻付器であって、
前記第１のステップにおいて、前記絶縁テープを前記テープ取付部材の前記テープ取付部（２１）に取り付け、
前記第２のステップにおいて、前記テープ取付部材を回しながら前記ネジ穴（２１ａ）を前記テープ巻付器取付部材の前記テープ取付部材取付部（３５）のネジ山と螺合させていって該絶縁テープを前記テープ巻付器に取り付け、
前記第３のステップにおいて、前記ヤットコの固定アーム（５２）と可動アーム（５１）とで前記テープ取付部材の前記顎部（２２）の下端部と前記テープ巻付器取付部材の前記本体（３１）の下端部とを挟んで前記テープ巻付器を該ヤットコで把持して、前記テープ巻付器取付部材の前記フックを前記被覆対象物に引っ掛けて前記テープ巻付器を該被覆対象物に取り付け、
前記第５のステップにおいて、前記ヤットコの前記固定アームと前記可動アームとで前記テープ取付部材の前記顎部の下端部と前記テープ巻付器取付部材の前記他の顎部（３３）の下端部とを挟んで前記テープ巻付器を該ヤットコで把持して、前記テープ巻付器を前記被覆対象物を中心に一回転させる、
ことを特徴とする、請求項６または７記載のテープ巻付方法。
【発明の詳細な説明】
【技術分野】
【０００１】
本発明は、間接活線作業における架空電線等へのテープ巻付作業（テーピング作業）に用いるのに好適なテープ巻付器およびテープ巻付方法に関する。
【背景技術】
【０００２】
従来、架空電線（架線や縁線等）が樹木の枝等と接触することにより架空電線の被覆が劣化したり傷付いたりして内部の銅線が露出した電線被覆損傷箇所を被覆する際や、スリーブを介して２本の架空電線を直線的に接続した電線接続部に被せられるスリーブカバーを架空電線に固定する際には、短筒状厚紙で構成される巻芯の外周に一定幅の長尺のテープを貼着面を内側にして巻き重ねてロール状に形成された自己融着性テープや粘着性ポリエチレンテープなどの絶縁テープを架空電線やスリーブカバー（被覆対象物）の外周に巻き付けている。
【０００３】
また、間接活線作業でのテープ巻付作業は、図４に示す間接活線用のヤットコ５０を用いて、図３（ａ）〜（ｃ）に示すように以下の手順で行っている（下記の特許文献１の段落０００３，０００４参照）。
（手順１）ヤットコ５０の可動アーム５１および固定アーム５２で絶縁テープ２の先端部を把持して、絶縁テープ２の先端部を架空電線１に貼り付ける。
（手順２）ヤットコ５０を操作して可動アーム５１および固定アーム５２で絶縁テープ２の両側面を挟んで下に引っ張って絶縁テープ２を伸ばしたのち、絶縁テープ２を奥側やや左斜め上方に向けて押し込んで架空電線１を中心に一回転させる。
（手順３）手順２を必要回数だけ繰り返して絶縁テープ２を架空電線１に巻き付けていく。
しかし、このようなテープ巻付作業では、絶縁テープ２を挟み難かったり絶縁テープ２を伸ばすときに滑ったりして、作業に時間が掛っていた。
【０００４】
このような問題を解決する手法として、本出願人は、下記の特許文献１において、間接活線把持工具の把持部の把持解除時に、ロール状の粘着テープ（絶縁テープ）が、第１の可動保持部の第１の保持面と第２の可動保持部の第２の保持面とによる保持が解除されるとともに、自重によって内面側が第１の可動保持部の下り傾斜面に接触しつつ下り傾斜面に沿って降下することにより第１の可動保持部から離脱するとともに自重による第２の可動保持部の回動によってテープ巻付部位よりも奥側へ送り出すことにより、間接活線把持工具の全体を横方向に移動させることなくロール状の絶縁テープをテープ保持部から離脱させられるようにしたテープ巻付先端工具を提案している。
また、本出願人は、下記の特許文献２において、ロール状の絶縁テープを保持するための少なくとも一対のテープ保持棒と、把持部の先端側の接離方向と直交する方向に沿って突出するとともに把持部の先端側が接離するのに伴って互いに平行を保ちつつ接離するように一対のテープ保持棒を把持部の先端側に着脱自在に取り付け可能な接続部とを備えたテープ巻付先端工具を提案している。
【先行技術文献】
【特許文献】
【０００５】
【特許文献１】特開２０１４−７５８８０号公報
【特許文献２】特開２００８−１７６００号公報
【発明の概要】
【発明が解決しようとする課題】
【０００６】
しかしながら、上述した従来のテープ巻付作業では、手順２において絶縁テープ２を下に引っ張って伸ばす際に絶縁テープ２が必要以上に出てしまい架空電線１を効率良く巻き付けていくことができないという問題があった。
また、上記の特許文献１，２で提案したテープ巻付先端工具でも、このような問題は解決できないという問題がある。
【０００７】
本発明の目的は、テープ巻付作業の効率化を図ることができるテープ巻付器およびテープ巻付方法を提供することにある。
【課題を解決するための手段】
【０００８】
本発明のテープ巻付器は、間接活線用のヤットコ（５０）を操作して絶縁テープ（２）を被覆対象物（１）に巻き付けるテープ巻付作業に用いるためのテープ巻付器（１０）であって、前記絶縁テープを回転可能に取り付けるためのテープ取付部材（２０）と、前記被覆対象物に引っ掛けて前記テープ巻付器を該被覆対象物に取り付けるためのフック（３２）が本体（３１）の上端部に固定されたテープ巻付器取付部材（３０）とを具備し、スライド孔（３１ａ）が、前記テープ巻付器取付部材の前記本体の下端部に形成されており、前記テープ取付部材が、前記テープ巻付器取付部材の前記スライド孔に沿って上下にスライド可能に該テープ巻付器取付部材に取り付けられていることを特徴とする。
ここで、前記テープ取付部材が、径が前記絶縁テープの内径よりも小さくされた、かつ、長さが該絶縁テープの横幅よりも大きくされた円柱状のテープ取付部（２１）と、径が前記テープ取付部の径よりも大きくされた、かつ、一端面の中央部に前記テープ取付部の一端面が固定された円板状の顎部（２２）とを備えてもよい。
前記テープ取付部材が、一端面が前記顎部の他端面の中央部に固定された、かつ、前記ヤットコの可動アーム（５１）および固定アーム（５２）で把持できる大きさにされた円柱状の把持部（２３）をさらに備えてもよい。
前記テープ巻付器取付部材が、矩形板状の前記本体と、半円環板状の前記フックと、前記テープ取付部材の前記顎部と同じ形状および大きさとされた円板状の他の顎部（３３）と、一端面が前記他の顎部の一端面の中央部に固定されるとともに前記スライド孔を貫通する軸部および一端面が該軸部の他端面の中央部に固定された抑え部を備えたスライド軸（３４）と、一端面が前記他の顎部の他端面の中央部に固定された円柱状のテープ取付部材取付部（３５）とを備え、前記本体の下端部の中央部に、開口面が矩形状とされた前記スライド孔が形成されていてもよい。
前記テープ取付部の他端面の中央部に、ネジ穴（２１ａ）が形成されており、前記テープ取付部材取付部の外周面に、前記ネジ穴と螺合するネジ山が形成されていてもよい。
本発明のテープ巻付方法は、本発明のテープ巻付器（１０）を用いて前記ヤットコ（５０）を操作して前記絶縁テープ（２）を前記被覆対象物（１）に巻き付けるためのテープ巻付方法であって、前記テープ取付部材（２０）に前記絶縁テープを取り付ける第１のステップと、前記テープ巻付器取付部材（３０）に前記テープ取付部材を取り付ける第２のステップと、前記ヤットコを操作して前記テープ巻付器取付部材の前記フック（３２）を前記被覆対象物に引っ掛けて前記テープ巻付器を該被覆対象物に取り付ける第３のステップと、前記絶縁テープの先端部を前記被覆対象物に貼り付ける第４のステップと、前記ヤットコを操作して前記被覆対象物を中心に前記テープ巻付器を一回転させて前記絶縁テープを該被覆対象物に巻き付ける第５のステップと、前記ヤットコを用いて前記テープ取付部材を前記テープ巻付器取付部材の前記スライド孔（３１ａ）に沿って引き下げて前記絶縁テープを引き出す第６のステップと、前記第５および第６のステップを必要回数だけ繰り返す第７のステップとを具備することを特徴とする。
ここで、前記第６のステップにおいて、前記テープ巻付器取付部材の前記スライド軸（３４）を前記テープ巻付器取付部材の前記スライド孔（３１ａ）の底面に当接するまで前記ヤットコを引き下げて前記絶縁テープを引き出してもよい。
前記第１のステップにおいて、前記絶縁テープを前記テープ取付部材の前記テープ取付部（２１）に取り付け、前記第２のステップにおいて、前記テープ取付部材を回しながら前記ネジ穴（２１ａ）を前記テープ巻付器取付部材の前記テープ取付部材取付部（３５）のネジ山と螺合させていって該絶縁テープを前記テープ巻付器に取り付け、前記第３のステップにおいて、前記ヤットコの固定アーム（５２）と可動アーム（５１）とで前記テープ取付部材の前記顎部（２２）の下端部と前記テープ巻付器取付部材の前記本体（３１）の下端部とを挟んで前記テープ巻付器を該ヤットコで把持して、前記テープ巻付器取付部材の前記フックを前記被覆対象物に引っ掛けて前記テープ巻付器を該被覆対象物に取り付け、前記第５のステップにおいて、前記ヤットコの前記固定アームと前記可動アームとで前記テープ取付部材の前記顎部の下端部と前記テープ巻付器取付部材の前記他の顎部（３３）の下端部とを挟んで前記テープ巻付器を該ヤットコで把持して、前記テープ巻付器を前記被覆対象物を中心に一回転させてもよい。
【発明の効果】
【０００９】
本発明のテープ巻付器およびテープ巻付方法は、以下に示す効果を奏する。
（１）テープ巻付器取付部材の本体に形成したスライド孔に沿って上下にスライド可能にテープ取付部材をテープ巻付器取付部材に取り付けることにより、テープ巻付作業時に絶縁テープが必要以上に出ないようにできるため、テープ巻付作業の効率化を図ることができる。
（２）被覆対象物を中心にテープ巻付器を回転させて絶縁テープを被覆対象物に巻き付けていけるため、テープ巻付作業の効率化を図ることができる。
【図面の簡単な説明】
【００１０】
【図１】本発明の一実施例によるテープ巻付器１０の構成を示す図であり、（ａ）はテープ取付部材２０の正面図であり、（ｂ）はテープ巻付器取付部材３０の正面図であり、（ｃ）はテープ巻付器取付部材３０の本体３１およびフック３２の左側面図であり、（ｄ）および（ｅ）はテープ取付部材２０のテープ巻付器取付部材３０への取付方法について説明するための図である。
【図２】図１に示したテープ巻付器１０を用いたテープ巻付作業の手順について説明するための図である。
【図３】従来のテープ巻付作業の手順について説明するための図である。
【図４】間接活線用のヤットコ５０について説明するための図である。
【発明を実施するための形態】
【００１１】
上記の目的を、テープ巻付器取付部材の本体に形成したスライド孔に沿って上下にスライド可能にテープ取付部材をテープ巻付器取付部材に取り付けることにより実現した。
【実施例１】
【００１２】
以下、本発明のテープ巻付器およびテープ巻付方法の実施例について図面を参照して説明する。
本発明の一実施例によるテープ巻付器１０は、径＝１．８ｃｍの架空電線１に内径＝３．５ｃｍおよび横幅＝１．９ｃｍの絶縁テープ２を巻き付けるために使用するものであり、図１（ｄ），（ｅ）に示すようにテープ取付部材２０とテープ巻付器取付部材３０とを具備する。
【００１３】
ここで、テープ取付部材２０は、図１（ａ）に示すように、テープ取付部２１と、顎部２２と、把持部２３とを備える。
【００１４】
テープ取付部２１は、径（＝３．３ｃｍ）が絶縁テープ２の内径（＝３．５ｃｍ）よりも小さくされているとともに長さ（＝２ｃｍ）が絶縁テープ２の横幅（＝１．９ｃｍ）よりも大きくされた円柱状のものである。
テープ取付部２１の左端面は顎部２２の右端面の中央部に固定されており、テープ取付部２１の右端面の中央部にはネジ穴２１ａが形成されている。
【００１５】
顎部２２は、径（＝６ｃｍ）がテープ取付部２１の径（＝３．３ｃｍ）よりも大きくされた円板状のものである。
【００１６】
把持部２３は、ヤットコ５０の可動アーム５１および固定アーム５２（図４参照）で把持できるように、径＝１．５ｃｍおよび長さ＝２．５ｃｍとされた円柱状のものである。
把持部２３の右端面は、顎部２２の左端面の中央部に固定されている。
【００１７】
テープ巻付器取付部材３０は、図１（ｂ），（ｃ）に示すように、本体３１と、フック３２と、顎部３３と、スライド軸３４と、テープ取付部材取付部３５（以下、「取付部３５」と称する。）とを備える。
【００１８】
本体３１は、縦＝１１ｃｍおよび横＝１．５ｃｍとされた矩形板状のものである。
本体３１の下端部の中央部には、開口面が縦＝５．５ｃｍおよび横＝０．５ｃｍとされた矩形状のスライド孔３１ａが、その底面が本体３１の底面から０．５ｃｍの位置になるように形成されている。
【００１９】
フック３２は、テープ巻付器１０を架空電線１に引っ掛けて取り付けるためのものであり（図２（ａ）参照）、内径（開口部の径）＝２ｃｍ（架空電線１の径＝１．８ｃｍよりも大きくされている。）および外径＝５ｃｍとされた半円環板状のものである。
フック３２の末端部は、開口部の開口面がスライド孔３１ａの開口面と平行になるように本体３１の表面（図１（ｂ）の紙面の表側）から裏面に向けて本体３１の上端部に固定されている。
これにより、架空電線１の手前側からフック３２の先端部を架空電線１に引っ掛けることにより、本体３１が架空電線１の手前側になるようにテープ巻付器１０を架空電線１に取り付けることができる。
【００２０】
顎部３３は、テープ取付部材２０の顎部２２と同じ形状および大きさとされた円板状のものである。
【００２１】
スライド軸３４は、左端面が顎部３３の右端面の中央部に固定されるとともにスライド孔３１ａを貫通する矩形棒状の軸部と、右端面が軸部の左端面の中央部に固定された台形棒状の抑え部とを備える。
これにより、顎部３３をスライド軸３１ａに沿って上下にスライドさせることができる。
【００２２】
取付部３５は、径および長さがテープ取付部材２０のテープ取付部２１のネジ穴２１ａの径および深さと略同じにされた円柱状のものである。
取付部３５の右端面は顎部３３の左端面の中央部に固定されており、取付部３５の外周面にはネジ穴２１ａと螺合するネジ山が形成されている。
これにより、図１（ｄ）に示すように絶縁テープ２をテープ取付部材２０のテープ取付部２１に取り付けたのち、同図に矢印で示すようにテープ取付部２１のネジ穴２１ａをテープ巻付器取付部材３０の取付部３５に近づけて、図１（ｅ）に矢印で示すようにテープ取付部材２０を手で回しながらネジ穴２１ａを取付部３５のネジ山と螺合させていくことにより、テープ取付部材２０の顎部２２とテープ巻付器取付部材３０の顎部３３との間に絶縁テープ２を回転可能に取り付けることができる。
【００２３】
次に、テープ巻付器１０の使用方法について、図２（ａ）〜（ｄ）を参照に説明する。
（手順１）作業員は、手で絶縁テープ２をテープ取付部材２０のテープ取付部２１に取り付けたのち（図１（ｄ）参照）、テープ取付部材２０を手で回しながらネジ穴２１ａをテープ巻付器取付部材３０の取付部３５のネジ山と螺合させていって絶縁テープ２をテープ巻付器１０に取り付ける（図１（ｅ）参照）。
その後、作業員は、絶縁テープ２の先端部を架空電線１に貼り付けるのに必要な長さだけ引き出す。
【００２４】
（手順２）作業員は、ヤットコ５０を操作して固定アーム５２と可動アーム５１とでテープ取付部材２０の顎部２２の左端面の下端部とテープ巻付器取付部材３０の本体３１の右端面の下端部とを挟んでテープ巻付器１０をヤットコ５０で把持する。
【００２５】
（手順３）作業員は、ヤットコ５０を押し上げてテープ巻付器１０を架空電線１に近付けたのち、テープ巻付器取付部材３０のフック３２を架空電線１にその上方から引っ掛けてテープ巻付器１０を架空電線１に取り付ける（図２（ａ）参照）。
その後、作業員は、ヤットコ５０を操作して固定アーム５２と可動アーム５１とをテープ巻付器１０から離し、離した固定アーム５２と可動アーム５１とで絶縁テープ２の先端部を把持したのち、絶縁テープ２の先端部を架空電線１に貼り付ける。
【００２６】
（手順４）作業員は、ヤットコ５０を操作して固定アーム５２と可動アーム５１とでテープ取付部材２０の把持部２３を挟んだのち、テープ巻付器取付部材３０のスライド軸３４が本体３１のスライド孔３１ａの底面に当接するまでヤットコ５０を引き下げて絶縁テープ２を引き出す（図２（ｂ）の矢印参照）。
【００２７】
（手順５）作業員は、ヤットコ５０を操作して固定アーム５２と可動アーム５１とでテープ取付部材２０の顎部２２の左端面の下端部とテープ巻付器取付部材３０の顎部３３の右端面の下端部とを挟んでテープ巻付器１０をヤットコ５０で把持したのち、ヤットコ５０を操作してテープ巻付器１０を奥側やや左斜め上方に向けて押し込んで架空電線１を中心にテープ巻付器１０を１８０°回転させる（図２（ｃ）の矢印参照）。
これにより、ヤットコ５０をテープ巻付器１０から離すとテープ巻付器１０を押し込む力でテープ巻付器１０が架空電線１を中心に一回転するため、絶縁テープ２を架空電線１に１回巻き付けることができる。
また、スライド軸３４の軸部は矩形棒状とされているため、テープ巻付器１０を一回転させてもテープ取付部材２０およびテープ巻付器取付部材３０の顎部３３はテープ巻付器取付部材３０の本体３１に対して回転しない。その結果、テープ巻付器１０を回転させるとテープ巻付器取付部材３０のスライド軸３４は本体３１のスライド孔３１ａに沿ってスライド孔３１ａの上面に向かって移動するため、テープ巻付器１０を一回転させても絶縁テープ２が引き出されることはない。（以上、図２（ｄ）の矢印参照）。
【００２８】
（手順６）作業員は、手順４，５を必要回数だけ繰り返して絶縁テープ２を架空電線１に巻き付けていったのち、間接活線用の切断工具を用いて絶縁テープ２の終端部を切る。
【００２９】
（手順７）作業員は、ヤットコ５０を操作して固定アーム５２と可動アーム５１とでテープ取付部材２０の顎部２２の左端面の下端部とテープ巻付器取付部材３０の本体３１の右端面の下端部とを挟んでテープ巻付器１０をヤットコ５０で把持したのち、ヤットコ５０を操作してテープ巻付器取付部材３０のフック３２を架空電線１から外してテープ巻付器１０を架空電線１から取り外す。
【符号の説明】
【００３０】
１  架空電線
２  絶縁テープ
１０  テープ巻付器
２０  テープ取付部材
２１  テープ取付部
２１ａ  ネジ穴
２２  顎部
２３  把持部
３０  テープ巻付取付部材
３１  本体
３１ａ  スライド孔
３２  フック
３３  顎部
３４  スライド軸
３５  取付部
５０  ヤットコ
５１  可動アーム
５２  固定アーム
【図１】
0006548027.tif 000002
【図２】
0006548027.tif 000003
【図３】
0006548027.tif 000004
【図４】
0006548027.tif 000005